(57)【要約】【課題】焼鈍が必要なティースの先端部を、効率よく焼鈍できる回転電機ステータコアの焼鈍方法を提供することである。【解決手段】回転電機ステータコア１０は、環状のヨーク１３と、ヨーク１３の周方向複数位置から径方向内側に延びる複数のティース１４とを含む。回転電機ステータコア１０の焼鈍方法は、回転電機ステータコア１０の内周側に、ヨーク１３よりインピーダンスが低い金属製の筒状部材である円筒部材２１を配置するとともに、円筒部材２１の中心軸上に磁束を流す励磁コア２２を配置する配置ステップと、励磁コア２２に磁束を流して円筒部材２１に誘導電流を発生させることで、誘導電流のジュール損で円筒部材２１を加熱し、円筒部材２１の加熱によりティース１４の先端部を焼鈍する誘導電流発生ステップとを有する。【選択図】図１Ｂ
2020080596.tif 000002
【特許請求の範囲】
【請求項１】
環状のヨークと、前記ヨークの周方向複数位置から径方向内側に延びる複数のティースとを備える回転電機ステータコアの焼鈍方法であって、
前記回転電機ステータコアの内周側に、前記ヨークよりインピーダンスが低い金属製の筒状部材を配置するとともに、前記筒状部材の中心軸上に磁束を流す励磁コアを配置する配置ステップと、
前記励磁コアに磁束を流して前記筒状部材に誘導電流を発生させることで、誘導電流のジュール損で前記筒状部材を加熱し、前記筒状部材の加熱により前記ティースの先端部を焼鈍する誘導電流発生ステップと、を含む、
回転電機ステータコアの焼鈍方法。
【請求項２】
請求項１に記載の回転電機ステータコアの焼鈍方法において、
前記筒状部材は円筒部材である、
回転電機ステータコアの焼鈍方法。
【請求項３】
請求項１または請求項２に記載の回転電機ステータコアの焼鈍方法において、
前記筒状部材の常温で、前記ティースの先端と前記筒状部材との間には、所定範囲の径方向寸法の空隙を有しており、
前記誘導電流発生ステップは、前記筒状部材の加熱によって、前記筒状部材の熱膨張により所定温度以上で前記筒状部材を前記ティースの先端に接触させる、
回転電機ステータコアの焼鈍方法。
【請求項４】
請求項１から請求項３のいずれか１項に記載の回転電機ステータコアの焼鈍方法において、
前記配置ステップにおいて、前記複数のティースの先端部の間に、前記筒状部材の外周面から突出する突部を挿入する、
回転電機ステータコアの焼鈍方法。
【請求項５】
請求項１から請求項３のいずれか１項に記載の回転電機ステータコアの焼鈍方法において、
前記複数のティースの先端部は、リング状に連結されている、
回転電機ステータコアの焼鈍方法。
【請求項６】
請求項１から請求項５のいずれか１項に記載の回転電機ステータコアの焼鈍方法において、
前記筒状部材の線膨張係数は、前記回転電機ステータコアの線膨張係数以上である、
回転電機ステータコアの焼鈍方法。
【発明の詳細な説明】
【技術分野】
【０００１】
本開示は、回転電機ステータコアの効果的な焼鈍方法に関する。
【背景技術】
【０００２】
従来からモータ、発電機等の回転電機は、ステータコアとロータコアとが径方向に対向して配置することにより構成される。ステータコアには、一般的に電磁鋼板の積層体が使用される。その電磁鋼板において、加工硬化による内部の歪を取り除き、コアの損失である鉄損を低減させるために、焼鈍が行われる。
【０００３】
例えば、ステータコアの全体に、軸方向一方側から高周波磁束を印加し、ステータコアの端部に面内渦電流を流して、それに起因するジュール損を利用してステータコアを加熱する方法が考えられる。
【０００４】
また、特許文献１，２に記載された構成のように、誘導加熱を行うコイル（誘導加熱部）がステータコアの外周全体を近接して覆い、そのコイルに通電することで、ステータコアに誘導電流を流してそのステータコアを加熱する方法が知られている。
【０００５】
また、特許文献３に記載された構成のように、コイルの内側に一次側ヨークを貫通させ、その一次側ヨークに磁気的に結合した二次側ヨークを、ステータコアの中心部に貫通させ、コイルへ交流電流を通電し、一次側ヨークによりステータコアの内側に軸方向の磁束を流す方法も知られている。この方法によれば、この軸方向の磁束によりステータコアに誘導電流を流して、ステータコアを加熱し焼鈍できる可能性がある。
【先行技術文献】
【特許文献】
【０００６】
【特許文献１】特開２０１３−５５５３号
【特許文献２】特開２０１２−５２８３号
【特許文献３】特開２０１８−８１８９６号
【発明の概要】
【発明が解決しようとする課題】
【０００７】
ステータコアの全体に、軸方向一方側から高周波磁束を印加する場合には、面内渦電流が発生する反磁界が印加磁界を弱める方向に作用するので、強い印加磁界が必要になる。また、ステータコアの表面ほど面内渦電流が強くなりやすい傾向があるので、ステータコアの軸方向両端部が焼鈍過多となる一方、軸方向の中心部が焼鈍不足となる可能性がある。
【０００８】
一方、特許文献１〜３に記載された方法では、ステータコアの外周部における環状のヨーク部分にしか誘導電流が流れないので、そのヨーク部分のみしか加熱できない。
【０００９】
ステータコアは、特にティースの先端部で加工硬化により残留歪が発生するので、その部分を焼鈍する必要がある。上記のステータコアの加熱方法の何れの場合でも、ティースの先端部を効率よく加熱して焼鈍する面から改良の余地がある。
【００１０】
本開示の回転電機ステータの焼鈍方法の目的は、焼鈍が必要なティースの先端部を、効率よく焼鈍することにある。
【課題を解決するための手段】
【００１１】
本開示の回転電機ステータの焼鈍方法は、環状のヨークと、前記ヨークの周方向複数位置から径方向内側に延びる複数のティースとを備える回転電機ステータコアの焼鈍方法であって、前記回転電機ステータコアの内周側に、前記ヨークよりインピーダンスが低い金属製の筒状部材を配置するとともに、前記筒状部材の中心軸上に磁束を流す励磁コアを配置する配置ステップと、前記励磁コアに磁束を流して前記筒状部材に誘導電流を発生させることで、誘導電流のジュール損で前記筒状部材を加熱し、前記筒状部材の加熱により前記ティースの先端部を焼鈍する誘導電流発生ステップと、を含む、回転電機ステータコアの焼鈍方法である。
【発明の効果】
【００１２】
本開示の回転電機ステータコアの焼鈍方法によれば、焼鈍が特に必要なティースの先端部を、効率よく焼鈍できる。
【図面の簡単な説明】
【００１３】
【図１Ａ】実施形態の回転電機ステータコアの焼鈍方法を用いて回転電機ステータコアを焼鈍する状態を示す断面図である。
【図１Ｂ】図１Ａを上方から見た図であって、右側半部は、左側半部から焼鈍装置の一部を取り除いて示す図である。
【図１Ｃ】図１ＡのＡ−Ａ断面の周方向一部における斜視図である。
【図２】図１Ｂから回転電機ステータコアと円筒部材を取り出して示す図である。
【図３】図２において、回転電機ステータコアと円筒部材との周方向一部を横方向に伸ばして示す模式図である。
【図４】実施形態の回転電機ステータコアの焼鈍方法を示すフローチャートである。
【図５】実施形態において、回転電機ステータコアと円筒部材との損失密度分布の解析結果を示す図である。
【図６】実施形態の回転電機ステータコアの焼鈍方法の別例を示す図である。
【図７】図６のＢ−Ｂ断面図である。
【図８】実施形態の回転電機ステータコアの焼鈍方法の別例を示している図３に対応する図である。
【図９】実施形態の回転電機ステータコアの焼鈍方法の別例を示している図３に対応する図である。
【図１０】実施形態の回転電機ステータコアの焼鈍方法の別例を示している図３に対応する図である。
【図１１】実施形態のステータコアの焼鈍方法の別例を示している図６に対応する図である。
【図１２】図１１のＣ−Ｃ断面図である。
【発明を実施するための形態】
【００１４】
以下、図面を参照しながら、本開示に係る回転電機ステータコアの焼鈍方法の実施形態について詳細に説明する。以下の説明において、具体的な形状、材料、数量等は、本開示の理解を容易にするための例示であって、回転電機ステータコアまたは焼鈍装置の仕様に合わせて適宜変更することができる。以下では、すべての図面において同様の要素には同一の符号を付して説明する。
【００１５】
図１Ａは、実施形態の回転電機ステータコア１０の焼鈍方法を用いて回転電機ステータコア１０を焼鈍する状態を示す断面図である。図１Ｂは、図１Ａを上方から見た図であって、右側半部は、左側半部から焼鈍装置２０の一部を取り除いて示す図である。図１Ｃは、図１ＡのＡ−Ａ断面の周方向一部における斜視図である。図２は、図１Ｂから回転電機ステータコア１０と円筒部材２１を取り出して示す図である。図３は、図２において、回転電機ステータコア１０と円筒部材２１との周方向一部を横方向に伸ばして示す模式図である。
【００１６】
図１Ａ〜図３を用いて、回転電機ステータコア１０を説明する。以下では、回転電機ステータコア１０は、ステータコア１０と記載する。ステータコア１０は、ステータコイル（図示せず）と共に、ステータを形成する。ステータは、ステータの内側に配置されたロータ（図示せず）と共に、回転電機を形成するために用いられる。
【００１７】
ステータコア１０は、環状の磁性体部品であり、複数の珪素鋼鈑等の環状の電磁鋼板を軸方向（図１の上下方向）に積層してなる積層体により形成される。
【００１８】
ステータコア１０は、環状で外周側に配置されるヨーク１３と、ヨーク１３の内周面の周方向複数位置から径方向内側に延びる複数のティース１４とを含む。複数のティース１４は、周方向に互いに間隔をおいて配置される。隣り合う２つのティース１４の間には溝であるスロット１６が形成される。ティース１４の先端には、周方向の両側に延びるように２つの鍔部１５が形成される。
【００１９】
ステータコイルは、Ｕ，Ｖ，Ｗ相の３相のコイルを有し、それぞれのコイルは、ステータコア１０の周方向に離れた２つのスロット１６にまたがるように複数のティース１４に巻回される。
【００２０】
回転電機を構成する場合には、ステータの径方向内側にロータが配置される。回転電機は、使用時に、３相のステータコイルに３相交流電流を供給することで駆動される。例えば、回転電機は、永久磁石型同期モータとして使用される。
【００２１】
ステータコア１０は、上記のように複数の電磁鋼板を積層することにより構成され、ヨーク１３の内周面から複数のティース１４が延びる。各電磁鋼板は、打ち抜き加工等により所定の形状に形成される。これにより、ティース１４の先端部で加工硬化が生じて歪（残留歪）が発生しやすい。このため、このティース１４の先端部において、焼鈍を行って内部の歪を取り除き、鉄損を低下させることが行われる。
【００２２】
このために、実施形態では、ステータコア１０について、以下の焼鈍方法を行う。図４に示すように、焼鈍方法は、配置ステップ（Ｓ１０）と、誘導電流発生ステップ（Ｓ１２）とを有する。
【００２３】
「配置ステップ」は、図１Ａ〜図３に示すように、焼鈍装置２０にステータコア１０を組み付ける。具体的には、焼鈍装置２０は、ステータコア１０の内周側に配置された金属製の円筒部材２１と、励磁コア２２と、励磁コイル３０とにより構成する。円筒部材２１は、断面が円形であり、軸方向の全体で断面積が変化しない円筒状である。円筒部材２１は、筒状部材に相当する。
【００２４】
配置ステップは、ステータコア１０の内周側に円筒部材２１を配置するとともに、ステータコア１０及び円筒部材２１の中心に励磁コア２２の中心部を貫通させ、かつ励磁コア２２の外側部分によりステータコア１０の周囲を覆うように励磁コア２２を配置する。
【００２５】
具体的には、励磁コア２２は、円柱状の中心コア２３と、円筒部２４と、２つの円板部２５，２６とを含む。円筒部２４は、中心コア２３の周囲に中心コア２３と互いの中心軸を一致させるように配置する。２つの円板部２５，２６は、中心コア２３と円筒部２４との軸方向両端に連結される。これにより、励磁コア２２は、内側に円筒状の内部空間２７を有し、両端が円板部で塞がれた円筒状に形成される。励磁コア２２は、鉄、珪素鋼等の軟磁性材料により形成される。さらに、配置ステップでは、中心コア２３の周囲に励磁コイル３０を巻回する。
【００２６】
励磁コア２２は、例えば、軸方向に２つに分離される形状の２つのコア要素により構成してもよい。この場合には、２つのコア要素をステータコアの軸方向両側から近づけて結合することにより、内部空間２７にステータコア１０が配置された励磁コアを形成できる。このとき、中心コア２３の周囲に励磁コイル３０を配置し、ステータコア１０の内周側に円筒部材２１を、ステータコア１０の内周端に接近させて配置する。ステータコア１０の内周側に円筒部材２１と励磁コイル３０とを配置した後、２つのコア要素を組み合わせて、内部空間２７にステータコア１０、円筒部材２１、及び励磁コイル３０を配置するように、励磁コア２２を形成する。
【００２７】
図１Ａでは、励磁コイル３０を円筒状に示しているが、実際には励磁コイル３０は、導線が巻回することにより形成される。導線は、断面矩形の平角線としてもよい。これにより、円筒部材２１の中心軸Ｏ（図１Ａ）上に磁束を流す励磁コア２２が配置される。励磁コア２２、励磁コイル３０、及び円筒部材２１は、例えばそれぞれの中心軸Ｏが上下方向に沿うように配置する。この場合に、励磁コア２２または励磁コイル３０と円筒部材２１とが直接接触しないように、樹脂等の絶縁材料製の絶縁部材（絶縁シート等）が配置されてもよい。
【００２８】
図３に示すように、円筒部材２１の常温で、ステータコア１０の複数のティース１４の先端（図３の下端）と円筒部材２１の外周面との間には、所定範囲の径方向寸法の空隙Ｇ、例えば数１０μｍ程度の空隙Ｇを有する。
【００２９】
さらに、円筒部材２１は、ステータコア１０のヨーク１３よりインピーダンスが低いものを用いる。また、円筒部材２１の線膨張係数は、ステータコア１０の線膨張係数以上とすることが好ましい。また、円筒部材２１は、ティース１４の焼鈍温度で融解しない材料により形成する。例えば、円筒部材２１を構成する金属として、銅、真鍮、純鉄等を用いることができる。
【００３０】
「誘導電流発生ステップ」は、電源部（図示せず）から励磁コイル３０に交流電流を供給することにより、円筒部材２１に誘導電流を発生させ、これにより誘導電流のジュール損で円筒部材２１を加熱する。そして、円筒部材２１の加熱により複数のティース１４の先端部を加熱して焼鈍する。
【００３１】
図１Ｂ、図２では、ステータコア１０の中心に示した丸とその内側のＸとにより、励磁コイル３０（図１Ｂ）に一方向に電流を流すことで、中心コア２３（図１Ｂ）に、紙面の表側から裏側に向かって軸方向の磁束が発生することを示している。これにより、円筒部材２１において、磁束変動に基づく電圧の発生により、図２の実線矢印α方向に流れる誘導電流を発生させる。上記のように中心コア２３に軸方向の磁束が発生した場合には、円筒部材２１だけでなくステータコア１０のヨーク１３にも、図２の破線矢印β方向に流れる誘導電流が発生する。一方、誘導電流はインピーダンスの低い方に多く流れる傾向となるので、ヨーク１３よりもインピーダンスを低くした円筒部材２１の方に、誘導電流が多く流れるようになる。
【００３２】
「誘導電流発生ステップ」は、円筒部材２１に誘導電流を発生させることにより、誘導電流が発生するジュール損で、円筒部材２１を加熱し、円筒部材２１の加熱により複数のティース１４の先端部を焼鈍する。
【００３３】
上記のように、円筒部材２１の常温で、ステータコア１０の複数のティース１４の先端と円筒部材２１の外周面との間に、所定範囲の径方向寸法の空隙Ｇ（図３）を有する。そして、誘導電流発生ステップにおいて、円筒部材２１の加熱によって、円筒部材２１の熱膨張により所定温度以上で円筒部材２１をティース１４の先端に接触させる。円筒部材２１がティース１４の先端に接触することで、ティース１４の先端部が円筒部材２１から直接の熱伝達でより効率的に加熱される。さらに、円筒部材２１とティース１４の先端部とが電気的に導通するので、ティース１４の先端部に誘導電流が流れることで、ティース１４の先端部が誘導電流によるジュール損でより効率的に加熱され、より効率的に焼鈍される。
【００３４】
例えば、円筒部材２１の熱膨張によって円筒部材２１をティース１４の先端に接触させるときの接触を開始する所定温度は、焼鈍の適正温度（例えば８００℃）の６０〜８０％の温度とする。このように常温でティース１４に円筒部材２１を接触させず、加熱による熱膨張で円筒部材２１をティース１４に接触させることで、常温での焼鈍装置２０のステータコア１０に対する組み付け性を高くでき、かつ、ティース１４に円筒部材２１の熱を直接伝達できるので、より効果的に焼鈍できる。
【００３５】
上記のステータコア１０の焼鈍方法によれば、ステータコア１０の内周側に配置した円筒部材２１の誘導電流による加熱により、焼鈍が特に必要なティース１４の先端部を集中的に加熱して焼鈍できるので、ティース１４の先端部を効率よく焼鈍できる。
【００３６】
図５は、実施形態において、ステータコア１０と円筒部材２１との損失密度分布の解析結果を示している。図５では、斜格子部が無地部より損失密度が高くなることを示している。図５に示した解析結果から、円筒部材２１では損失密度が高くなることで、円筒部材が加熱され、これによって、ティース１４の先端部を集中的に加熱できることが分かる。
【００３７】
なお、上記の実施形態では、円筒部材２１の常温で、ティース１４の先端と円筒部材２１との間に空隙Ｇを有する構成としているが、円筒部材２１の常温でティース１４の先端と円筒部材２１とを接触させる構成としてもよい。
【００３８】
図６は、実施形態のステータコア１０の焼鈍方法の別例を示している。図７は、図６のＢ−Ｂ断面図である。本例の場合には、焼鈍装置２０ａは、矩形枠状の励磁コア３２と、励磁コア３２において、ステータコア１０の外側に配置された部分に巻回された励磁コイル３１とを含んで構成される。
【００３９】
励磁コア３２は、４つの直線部３３，３４，３５，３６を連結することにより形成される。１つの直線部３３は円柱状であり、３つの直線部３４，３５，３６は四角柱状である。円柱状の直線部３３がステータコア１０の中心部を軸方向に貫通する。励磁コイル３１は、この直線部３３に平行な直線部３４に巻回される。これによっても、励磁コイル３１に交流電流が供給されることによって、励磁コア３２に磁束を流すことができるので、円筒部材２１の中心軸上に磁束を流すことができる。本例において、その他の構成及び作用は、図１Ａ〜図５の構成と同様である。
【００４０】
図８は、実施形態のステータコア１０の焼鈍方法の別例を示している図３に対応する図である。本例の場合には、図１Ａ〜図５の構成と異なり、焼鈍装置２０ｂを構成する筒状部材２１ａは、円筒部２１ｂと、円筒部２１ｂの外周面の等間隔に分かれた複数位置に、軸方向（図８の紙面の表裏方向）に沿って径方向外側に突出する軸方向突部２１ｃとを含んで形成される。
【００４１】
本例の焼鈍方法は、配置ステップにおいて、ステータコア１０の内周側に筒状部材２１ａを配置するときに、複数のティース１４の先端部の間に、複数の軸方向突部２１ｃをそれぞれ挿入する。このとき、筒状部材２１ａの常温で、各軸方向突部２１ｃの周方向側面と、対向するティース１４の先端部の周方向側面との間に、周方向の空隙Ｈを有し、筒状部材２１ａの熱膨張により所定温度以上で、軸方向突部２１ｃの周方向側面を、対向するティース１４の先端部の周方向側面に接触させる。これにより、焼鈍装置２０ｂのステータコア１０に対する組み付け性を高くできる。
【００４２】
上記の構成の場合には、筒状部材２１ａが加熱されたときに、軸方向突部２１ｃの周方向側面が対向するティース１４の先端部の周方向側面に接触し、この部分でも筒状部材２１ａからティース１４の先端部に直接に熱伝達されるので、ティース１４の先端部をより効率的に焼鈍できる。なお、筒状部材２１ａの常温で、各軸方向突部２１ｃの周方向側面を、対向するティース１４の周方向側面に接触させてもよい。本例において、その他の構成及び作用は、図１Ａ〜図５の構成と同様である。
【００４３】
図９は、実施形態のステータコア１０ａの焼鈍方法の別例を示している図３に対応する図である。本例の場合には、図１Ａ〜図５の構成と異なり、ステータコア１０ａの複数のティース１４の先端部は、ステータコア１０ａの中心軸を中心とするリング状の連結部１７により連結されている。図９では、ステータコア１０ａの周方向一部のみを示しているが、周方向の他の部分も同様に形成される。
【００４４】
そして、焼鈍方法における配置ステップにおいて、焼鈍装置２０を構成する円筒部材２１の外周面と連結部１７の内周面との間には、円筒部材２１の常温で、所定範囲の径方向寸法の空隙Ｇを有するように、焼鈍装置２０にステータコア１０ａを組み付ける。
【００４５】
本例の場合も、図１Ａ〜図５の構成と同様に、円筒部材２１の加熱による熱膨張で円筒部材２１が複数のティース１４の先端部である連結部１７に接触し、円筒部材２１からの熱伝達と、連結部１７を流れる誘導電流とにより、より効率的にティース１４の先端部を加熱して焼鈍できる。なお、円筒部材２１の常温で、円筒部材２１の外周面を連結部１７の内周面に接触させてもよい。本例において、その他の構成及び作用は、図１Ａ〜図５の構成と同様である。
【００４６】
図１０は、実施形態のステータコア１０ａの焼鈍方法の別例を示している図３に対応する図である。本例の場合には、図９に示した構成において、焼鈍装置から円筒部材２１をなくしている。この場合でも、図１Ａ〜図５に示した構成と同様に、中心コア２３に巻回された励磁コイル３０への交流電流の供給によって、中心コア２３に軸方向の磁束が発生し、これによってステータコア１０ａの連結部１７に、周方向に流れる誘導電流が発生する。このため、連結部１７が誘導電流によるジュール損によって加熱され、この加熱によって連結部１７、すなわち複数のティース１４の先端部を、効率よく焼鈍できる。本例において、その他の構成及び作用は、図１Ａ〜図５の構成、または図９の構成と同様である。なお、本例において、励磁コイル３０は、図６、図７に示した構成のように、励磁コアのうち、ステータコア１０ａの外側に配置された部分に巻回されてもよい。
【００４７】
図１１は、実施形態のステータコア１０の焼鈍方法の別例を示している図６に対応する図である。図１２は、図１１のＣ−Ｃ断面図である。本例の構成で用いる焼鈍装置２０ｃは、図６、図７の構成で用いる焼鈍装置２０ａを２つ組み合わせたような構成を有する。具体的には、焼鈍装置２０ｃは、励磁コア４０と、２つの励磁コイル３１とを含んで構成される。励磁コア４０は、４つの直線部４２，４３，４４，４５からなる矩形枠４１と、矩形枠４１の内側空間を２つに仕切るように平行な２つの直線部４４，４５の中間部に接続された直線状の柱部４６とを有する。４つの直線部４２，４３，４４，４５は、四角柱状であり、柱部４６は円柱状である。柱部４６は、ステータコア１０の中心部を軸方向に貫通する。２つの励磁コイル３１は、柱部４６と平行な２つの直線部４２，４３に巻回される。各励磁コイル３１に交流電流が供給されることによって、励磁コア４０に磁束を流すことができる。この場合、励磁コイル３１が巻回される２つの直線部４２，４３には、同時に、軸方向の同じ方向に磁束が流れるようにする。これにより、柱部４６に流れる磁束を強めることができる。本例において、その他の構成及び作用は、図１Ａ〜図５の構成、または図６、図７の構成と同様である。
【００４８】
また、上記の実施形態において、ステータコアは、電磁鋼板の積層体に限定するものではなく、塊状コアや、樹脂バインダと磁性材粉末を加圧成形することにより構成されてもよい。
【符号の説明】
【００４９】
１０，１０ａ  回転電機ステータコア（ステータコア）、１３  ヨーク、１４  ティース、１５  鍔部、１６  スロット、１７  連結部、２０，２０ａ,２０ｂ，２０ｃ  焼鈍装置、２１  円筒部材、２１ａ  筒状部材、２１ｂ  円筒部、２１ｃ  軸方向突部、２３  中心コア、２４  円筒部、２５,２６  円板部、２７  内部空間、３０,３１  励磁コイル、２２，３２，４０  励磁コア。
【図１Ａ】
2020080596.tif 000003
【図１Ｂ】
2020080596.tif 000004
【図１Ｃ】
2020080596.tif 000005
【図２】
2020080596.tif 000006
【図３】
2020080596.tif 000007
【図４】
2020080596.tif 000008
【図５】
2020080596.tif 000009
【図６】
2020080596.tif 000010
【図７】
2020080596.tif 000011
【図８】
2020080596.tif 000012
【図９】
2020080596.tif 000013
【図１０】
2020080596.tif 000014
【図１１】
2020080596.tif 000015
【図１２】
2020080596.tif 000016